(57)【要約】【課題】背フレームの前面に、クッション体を、容易に着脱しうるとともに、位置ずれ等が生じることなく、安定よく、確実に取り付けることができるようにした椅子の背凭れ構造を提供する。【解決手段】左右１対の縦杆４６、４６の上端部同士と、それより下方の対向部同士とを、左右方向を向く横杆４７をもってそれぞれ連結してなる背フレーム３９の前面に、クッション体４０を前面に装着した背板４２を取り付けてなる椅子の背凭れ構造において、背フレーム３９の上端部に設けた係止片５５に、背板４２の上端部に設けた係合孔６９を係止し、かつ背板４２の後面における横杆４７に対向する部分に設けた凹溝７０に、横杆４７を嵌合し、この横杆４７を、止めねじ７２をもって背板４２に止着する。【選択図】  図９
2010213816.tif 000002
【特許請求の範囲】
【請求項１】
左右１対の縦杆の上端部同士と、それより下方の対向部同士とを、左右方向を向く横杆をもってそれぞれ連結してなる背フレームの前面に、クッション体を前面に装着した背板を取り付けてなる椅子の背凭れ構造において、
前記背フレームの上端部に設けた係止部材に、背板の上端部に設けた被係止部を係止し、かつ前記背板の後面における前記横杆に対向する部分に設けた凹溝に、前記横杆を嵌合し、この横杆を、止着手段をもって背板に止着したことを特徴とする椅子の背凭れ構造。
【請求項２】
係止部材を、最上段の横杆の上面に設けた側面視後向鉤形の係止片とし、被係止部を、背板の上端における後向片に設けた係合孔とし、この係合孔の後縁を、前記係止片に係止させるようにした請求項１記載の椅子の背凭れ構造。
【請求項３】
背板における凹溝の奥端面にねじ孔を設け、このねじ孔に、横杆を貫通させた止着手段である前後方向を向く止めねじを螺合して締め付けることにより、横杆を背板に止着した請求項１または２記載の椅子の背凭れ構造。
【請求項４】
背フレームの後面を覆う化粧板を取り付ける取付板を、その前面に設けた係合片を、前記背フレームにおける横杆に係合させて止着することにより、背フレームに取り付けた請求項１〜３のいずれかに記載の椅子の背凭れ構造。
【発明の詳細な説明】
【技術分野】
【０００１】
本発明は、椅子の背凭れ構造に関する。
【背景技術】
【０００２】
鉄道車両や航空機の客室において使用される椅子には、方形枠状の背当フレームの上端部に、背当本体の上端部に設けた掛止部を掛止し、かつ背当本体の下端部を、背当フレームにおける下部フレームと、それに固着したフックとの間に差し込んで、背当本体の下端部における可撓部を、背当フレームに巻付け、さらに接着布(面ファスナー)をもって可撓部を背当フレームに貼着することにより、背当本体を背当フレームに着脱しうるようにしたものがある(例えば、特許文献１参照)。
【先行技術文献】
【特許文献】
【０００３】
【特許文献１】特許第３７７１３８７号公報
【発明の概要】
【発明が解決しようとする課題】
【０００４】
しかし、特許文献１に記載されている発明においては、背当フレームの上端部に、背当本体の上部掛止部を掛止し、かつ背当本体の下端部を、背当フレームにおける下部フレームと、それに固着したフックとの間に差し込み、次いで、背当本体の下端部における可撓部を、背当フレームに巻付け、さらに接着布をもって可撓部を背当フレームに貼着しなければならず、背当フレームへの背当本体の装着作業、および上記と逆の手順の背当本体の離脱作業が煩雑であり、また、背当本体が、特に上部掛止部や下端部および可撓部において、背当フレームに対して位置ずれしたり、がたついたりするおそれがあり、背当本体を安定して支持し難い等の問題がある。
【０００５】
本発明は、上記のような問題点に鑑み、背フレームの前面に、クッション体を、容易に着脱しうるとともに、位置ずれ等が生じることなく、安定よく、確実に取り付けることができるようにした椅子の背凭れ構造を提供することを目的としている。
【課題を解決するための手段】
【０００６】
本発明によると、上記課題は、次のようにして解決される。
(１)  左右１対の縦杆の上端部同士と、それより下方の対向部同士とを、左右方向を向く横杆をもってそれぞれ連結してなる背フレームの前面に、クッション体を前面に装着した背板を取り付けてなる椅子の背凭れ構造において、前記背フレームの上端部に設けた係止部材に、背板の上端部に設けた被係止部を係止し、かつ前記背板の後面における前記横杆に対向する部分に設けた凹溝に、前記横杆を嵌合し、この横杆を、止着手段をもって背板に止着する。
【０００７】
このような構成とすると、背フレームの前方より、背板を後傾させた状態で、背板の上端部の被係止部を、背フレームの上端部における係止部材に係止し、次いで、背板の下端部を、後方に回動させて、背板の凹溝を背フレームの横杆に嵌合し、その後、横杆を背板に止着するだけで、クッション体を背フレームに簡単に装着することができるとともに、上記と逆の手順で、クッション体を背フレームから簡単に離脱させることができる。
また、クッション体を背フレームに装着した後は、背板の被係止部と背フレームの係止部材との係合と、背板の凹溝と背フレームの横杆との嵌合と、背板への横杆の止着とにより、クッション体は、位置ずれやがたつき等が生じることなく、安定よく、確実に背フレームに支持される。
【０００８】
(２)  上記(１)項において、係止部材を、最上段の横杆の上面に設けた側面視後向鉤形の係止片とし、被係止部を、背板の上端における後向片に設けた係合孔とし、この係合孔の後縁を、前記係止片に係止させるようにする。
【０００９】
このような構成とすると、背フレームの係止部材と、背板の被係止部との構造を簡素化しうるとともに、それらを互いに容易に係合させることができる。
【００１０】
(３)  上記(１)または(２)項において、背板における凹溝の奥端面にねじ孔を設け、このねじ孔に、横杆を貫通させた止着手段である前後方向を向く止めねじを螺合して締め付けることにより、横杆を背板に止着する。
【００１１】
このような構成とすると、止着手段の構造を簡素化することができるとともに、止めねじを背板のねじ孔に螺合して締め付けることにより、横杆と凹溝との嵌合をより緊密なものとすることができ、クッション体の形状を安定させることができる。
【００１２】
(４)  上記(１)〜(３)項のいずれかにおいて、背フレームの後面を覆う化粧板を取り付ける取付板を、その前面に設けた係合片を、前記背フレームにおける横杆に係合させて止着することにより、背フレームに取り付ける。
【００１３】
このような構成とすると、取付板を、背フレームの横杆を利用して、確実に取り付けることができるとともに、この取付板を利用して、最も汚損しやすい背凭れ後面の化粧板を、簡単に取り替えることができる。
【発明の効果】
【００１４】
本発明によると、背フレームの前面に、クッション体を、容易に着脱しうるとともに、位置ずれ等が生じることなく、安定よく、確実に取り付けることができるようにした椅子の背凭れ構造を提供することができる。
【図面の簡単な説明】
【００１５】
【図１】本発明の一実施形態を備える車両用の二人掛けの椅子の外観斜視図である。
【図２】同じく、分解斜視図である。
【図３】一方の側板を、内方より見た分解斜視図である。
【図４】一方の側板の上部を破断して示す一部切欠き側面図である。
【図５】中間部肘掛けを使用位置としたときの、中間部肘掛けの一部を破断して示す中央縦断側面図である。
【図６】中間部肘掛けを不使用位置としたときの、中間部肘掛けの一部を破断して示す中央縦断側面図である。
【図７】一方の背凭れの分解斜視図である。
【図８】他方の背凭れの分解斜視図である。
【図９】折り畳みテーブル等を省略した、一方の背凭れの中央縦断側面図である。
【発明を実施するための形態】
【００１６】
次に、本発明の一実施形態を備える椅子を、図１〜図９を参照して説明する。
図１および図２は、本発明を、車両用の二人掛けの椅子に適用した例を示すもので、車両の床に設けた水平回転する回転台(図示略)上に固着された平面視横長方形の基枠１(図２)上に、左右１対の座２、２と、各座２の後方において後傾可能とした左右１対の背凭れ３、３と、各座２の外側部に配設したアルミダイキャスト製の左右１対の側板４、４と、左右の背凭れ３、３間において、前方を向く使用位置と、上方を向く不使用位置とに回動可能とした中間部肘掛け５とを取り付けたものよりなっている。
【００１７】
図２に示すように、基枠１は、左右方向を向く角管からなる前後１対の横杆６、６の両側部同士と、中間の２箇所同士とを、前後方向を向く連結杆７、７、８、８をもって互いに連結してなり、前方の横杆６の両側部と中間部の２箇所には、前斜め上方を向く合計４個の起立部材９が固着され、後方の横杆６の両側部と中間部の２箇所には、真上を向く合計４個の起立部材１０が固着されている。
【００１８】
図５に示すように、各起立部材９は、前斜め上方を向く前片９ａと、その両側縁より後方を向く側片９ｂ、９ｂと、それらの内部に溶接された上部水平片９ｃ、下部水平片９ｄと、これら両者を連結する傾斜片９ｅとを備えている。
両側片９ｂ、９ｂの下端には、側面視倒立Ｖ字状の切欠き１１が設けられており、この切欠き１１を、角管からなる前方の横杆６の上面と前面との角部に押し当てて、下部水平片９ｄを、横杆６の上面にねじ止めすることにより、各起立部材９は、前斜め上方を向くようにして、簡単に、しかも強固に、横杆６に固着されている。
【００１９】
各起立部材１０は、真上を向くようにして、後方の横杆６の上面に、強固に固着されている。
【００２０】
前方の左右２個ずつの起立部材９、９と、後方の左右２個ずつの起立部材１０、１０との上端には、平面視ほぼ方形枠状をなす左右１対の座受枠１２、１２の各角部が載置され、それぞれ上下方向のボルト１３をもって固着されている。
【００２１】
各座受枠１２の上面には、弾性撓曲可能の張り材１４が、その各縁辺を押え板１５をもって座受枠１２の上面に止着することによって張設されている。張り材１４は、例えばネット、布、面ばね等とすることができる。
【００２２】
張り材１４を張設した各座受枠１２の上面には、クッション体(図示略)を表皮材１６をもって被包してなる座２が、その前部が座受枠１２および基枠１より前方に突出するようにして載置されている。
このように、座２を、張り材１４を張設した座受枠１２上に載置することにより、座２を薄型化しても、座２の中央部のクッション性を保つことができる。
【００２３】
基枠１と、起立部材９と、座受枠１２との前面には、前斜め上方に向かって延出する傾斜片１７ａの上端に、前方を向く座受片１７ｂが連設された前覆い板１７が、基枠１の左右方向のほぼ全長に亘って配設され、座受片１７ｂをもって、座２の前部下面が支持されている。
【００２４】
傾斜片１７ａの後面における上下方向の中間部で、かつ各起立部材９と対応する部分には、後向片を有する複数のブラケット１７ｃが固着されている。
このブラケット１７ｃの後向片を、左右方向を向く軸１７ｄをもって、各起立部材９の上部または中間部に止着し、かつ前覆い板１７の下端部を、基枠１の前面に当接させることにより、前覆い板１７を、簡単かつ確実に、基枠１に取付けることができ、しかも、座受片１７ｂをもって、座２の前部下面を安定よく支持することができる。
【００２５】
また、座２を、基枠１の上面に設けた複数の起立部材９、１０および座受枠１２をもって、基枠１より高い位置に支持してあるため、座２の下方に、後述するガススプリング５１その他のための大きな収容スペースを確保することができる。
【００２６】
各座２の前部下面には、垂下布１８の上端部が縫着されており、この垂下布１８を、前覆い板１７における座受片１７ｂの前端より後方に折り返し、その遊端部を、面ファスナ１８ａをもって、座受片１７ｂの下面に止着することにより、座２の前部と前覆い板１７とを、着脱可能として結合してある。
【００２７】
なお、図示は省略したが、一方の座２の内方寄りの側部下面に縫着した、垂下布１８と同様のものの遊端部を、隣接する座２の内方寄りの側部下面に、面ファスナをもって止着することにより、左右の座２、２が結合されている。
【００２８】
基枠１と、起立部材１０と、座受枠１２との後面には、側面視前向コ字状をなす後覆い板１９が、その前面に設けた複数のブラケット１９ａを、各起立部材１０に止着することにより、前覆い板１７と同様に、基枠１の左右方向のほぼ全長に亘って取り付けられている。
【００２９】
図１〜図４に示すように、基枠１の両側面に固着した各側板４は、基枠１および座２の側面を覆うベース部２０と、その後部から起立し、起立時の背凭れ３の外側面の下部を覆う起立部２１と、この起立部２１の上端より前方を向く肘掛け２２における肘当て支持部２３とを一体的に形成した、側面視ほぼコ字状のアルミダイキャストの成型体よりなっている。
【００３０】
肘当て支持部２３は、断面ほぼＶ字状をなして前方を向くアーム状のものであって、その上端の開口部には、前後方向を向くほぼ平板状の肘当て部材２４が、その開口部を塞ぐように取り付けられている。
この肘当て支持部２３と肘当て部材２４とにより、肘掛け２２が形成されている。
【００３１】
肘当て部材２４の下面前部には、肘当て部材２４の前端面に設けた窓孔２５より、手掛け部２６ａが前方に突出するようにした操作レバー２６が、左右方向を向く枢軸２７をもって枢着されている。
【００３２】
この操作レバー２６の手掛け部２６ａを上向きに回動させることにより、操作レバー２６に連係したボーデンケーブル２８における可撓性のアウターチューブ２８ａ内に軸方向に摺動可能として挿通させられた可撓性のインナーケーブル２８ｂが牽引され、後述する背凭れ３の後傾角度調節用のガススプリング５１を操作しうるようになっている。
【００３３】
図３および図４に示すように、各側板４のベース部２０における前下縁には、前覆い板１７における傾斜片１７ａおよび座受片１７ｂと平行をなす内向きの傾斜縁片２０ａおよび水平縁片２０ｂが形成されており、この傾斜縁片２０ａの後面に、前覆い板１７における傾斜片１７ａを、また水平縁片２０ｂの上面に、前覆い板１７における座受片１７ｂをそれぞれ当接させ、かつ座受片１７ｂを水平縁片２０ｂにねじ止めすることにより、前覆い板１７の端部を、側板４により、体裁よく、しかも前覆い板１７の端部が側板４から脱落することなく、確実に保持することができるようにしてある。
【００３４】
図２、図５、および図６に示すように、基枠１における後方の横杆６の左右方向の中央部の後面には、上方を向く肘掛け支柱２９の下端部前面が固着されており、この肘掛け支柱２９の上端部には、中間部肘掛け５が、左右方向を向く軸３０をもって枢着されている。
この肘掛け支柱２９および中間部肘掛け５は、図１に示すように、左右の背凭れ３、３間に挟まれるようにして配設されている。
【００３５】
中間部肘掛け５は、図５に示すように、後端部下面に設けた凹部３１の前壁に設けたロックナット付きの調節ボルト３２の後端が、肘掛け支柱２９の前面に当接して、ほぼ前方を向く使用位置から、図６に示すように、ほぼ上方を向く(図６に示す例では、真上より若干後傾した向き)不使用位置までの間を、軸３０を中心として回動可能である。
凹部３１の前壁からの調節ボルト３２の後方への突出量を調節することにより、不使用位置における中間部肘掛け５の傾斜角度を調節することができる。
【００３６】
図５に示すように、中間部肘掛け５の後部下面には、中間部肘掛け５を不使用位置としたときの中間部肘掛け５の枢着部分の前面を覆う可撓性の覆い片３３の上部が、固定ねじ３４をもって止着されている。
この覆い片３３は、ステンレス板、合成樹脂板、その他の体裁のよい弾性撓曲可能な板片により形成するのが好ましい。また、この覆い片３３の上部により、調節ボルト３２が設けられた凹部３１の下面や、中間部肘掛け５の上面に肘当て部材３５を下方より固着するためのねじ止め部分３６等を覆うようにするのが好ましい。
【００３７】
肘掛け支柱２９の前面には、中間部肘掛け５を不使用位置から使用位置へ回動したとき、覆い片３３の下端部から上部に向かって漸次受け入れる、上端が開口する袋状の受入れ部３７が設けられている。
【００３８】
図示の例では、この受入れ部３７は、前片３８ａの両側縁より後方を向く側片３８ｂが連設された平面視後向Ｕ字状のカバー部材３８における前片３８ａが、肘掛け支柱２９の前面より前方に離間するようにして、両側片３８ｂ、３８ｂを肘掛け支柱２９の両側面に固着することにより形成されている。
【００３９】
図５に示すように、中間部肘掛け５が使用位置に位置しているときは、覆い片３３は、下端部後面が肘掛け支柱２９の前面に当接し、上部が前方に弾性撓曲しているが、中間部肘掛け５を使用位置から不使用位置へ回動させると、覆い片３３は、前方に弾性撓曲していた上部が漸次平面に戻されつつ、受入れ部３７から上方に引き上げられ、中間部肘掛け５が不使用位置に達すると、図６に示すように、覆い片３３は、ほぼ垂直をなすか、または上部が後方に若干弾性撓曲し、中間部肘掛け５の下部から枢着部分の前方を覆い、下端部のみが受入れ部３７内に残る。
【００４０】
この状態では、中間部肘掛け５の枢着部、凹部３１、およびねじ止め部分３６等の前面が、覆い片３３により覆われ、前方に露呈することがないので、体裁がよい。
【００４１】
中間部肘掛け５を不使用位置から使用位置へ回動させた際には、覆い片３３は、下端部が漸次下降して、受入れ部３７内に深く進入しつつ、上部が中間部肘掛け５とともに、前方に漸次弾性撓曲させられ、また下部が肘掛け支柱２９の前面に圧接されられる。
このとき、中間部肘掛け５の枢着部や凹部３１の開口部の前下方は、覆い片３３により覆われているので、着座者の衣服等が上記枢着部や凹部３１に進入するのが阻止され、衣服等が中間部肘掛け５と肘掛け支柱２９との間に挟まれるのを防止することができる。
【００４２】
図示の例では、両側部の肘掛け２２は、側板４と一体的に設けてあるが、両側部の肘掛け２２を、側板４の起立部２１の上端部に左右方向の軸(図示略)をもって枢着し、中間部肘掛け５と同様の上向回動式のものとする場合には、覆い片３３や受入れ部３７と同様のものを、両側部の肘掛け２２や側板４の起立部２１に設けるのがよい。
【００４３】
図２、および図７〜図９に示すように、左右の各背凭れ３は、背フレーム３９の前面に、クッション体４０、およびそれを覆う表皮材４１を前面に装着した背板４２を取り付け、かつ背フレーム３９の後面に、上下１対の取付板４３、４４を介して、化粧板４５を取り付けたものよりなっている。
【００４４】
背フレーム３９は、ヘッドレスト部をなす上端部に、前方に凸の円弧状部４６ａを有する左右１対の縦杆４６、４６と、両縦杆４６、４６の上端部同士、下端より若干上方の部分同士、および中間の複数箇所同士を、左右方向を向く横杆４７をもってそれぞれ連結した、アルミダイキャスト製のものとしてある。
【００４５】
背フレーム３９における左右の縦杆４６の下端より若干上方の部分には、前方を向く突部４８が設けられ、この突部４８を、側板４の起立部２１の中位部および肘掛け支柱２９の中位部に、左右方向を向く枢軸４９をもって枢着することにより、背フレーム３９、および背凭れ３全体は、枢軸４９を中心として、起立位置から後方に回動しうるようになっている。
【００４６】
左右の背フレーム３９における外側に位置する縦杆４６の突部４８より下方の前面には、ブラケット５０が固着されており、このブラケット５０に、ほぼ前後方向を向くロック機能付きのガススプリング５１の後端部を、左右方向を向く軸５２をもって連結し、ガススプリング５１の前端部を、基枠１の両側前部に、左右方向を向く軸５３をもって連結し、さらに、ガススプリング５１の前端部に設けた作動レバー５４を、上記ボーデンケーブル２８におけるインナーケーブル２８ｂに接続することにより、各背凭れ３のリクライニング機構が形成されている。
【００４７】
これにより、肘掛け２２の前端部に設けた操作レバー２６の手掛け部２６ａを上方に引き上げて、インナーケーブル２８ｂを牽引し、作動レバー５４を回動させて、作動レバー５４により、ガススプリング５１のプッシュボタン５１ａを押動している間は、ガススプリング５１が伸縮可能となり、背凭れ３を所望の後傾角度まで回動させることができ、操作レバー２６の手掛け部２６ａから手を離すと、プッシュボタン５１ａが、内蔵したばねの付勢力により突出し、ガススプリング５１の伸縮がロックされて、背凭れ３はその直前に停止させた位置にロックされる。
【００４８】
背フレーム３９における最上段の横杆４７の上面には、側面視後向鉤形をなす複数(この例では３個)の係止片(係止部材)５５が突設されている。
【００４９】
背フレーム３９における最上段の横杆４７と、上から第２段目の横杆４７との間には、前方に凸の円弧状をなすアルミダイキャスト製のヘッドレスト裏板５６が、背フレーム３９と一体的に設けられており、その下端部中央から、第２段目の横杆４７の上面にかけて、回転レバー５７を前後方向を向く軸５８回りに回転自在に枢支する支持体５９を取り付けるための切欠き６０が設けられている。
【００５０】
この回転レバー５７は、背フレーム３９の背面側に設けられた折り畳みテーブル６１を収納位置において保持するためのものである。
折り畳みテーブル６１は、下端部が背フレーム３９の枢軸４９と同軸に枢着された左右１対の支持脚６２、６２の上端部に、左右方向を向く軸６３をもって枢着され、両支持脚６２、６２とともに、背フレーム３９の背面とほぼ平行をなす収納位置と、両支持脚６２、６２が、背フレーム３９に対して若干後傾した状態で、両支持脚６２、６２に対してさらに後傾してほぼ水平をなす使用位置とに移動しうるようになっている。
【００５１】
両支持脚６２、６２の下端部には、両支持脚６２、６２の後方への回動角度を規制するストッパ６４が設けられ、両支持脚６２、６２の上端部には、折り畳みテーブル６１の両側端における軸６３から離れた部分に突設したピン６５が嵌合することにより、両支持脚６２、６２に対する折り畳みテーブル６１の回動角度を規制するようにした円弧孔６６が設けられている。
両支持脚６２、６２の上端部における円弧孔６６より下方の部分同士は、左右方向を向く連結杆６７をもって連結されている。
【００５２】
図７に示すように、背板４２におけるヘッドレスト部をなす上端部は、背フレーム３９における縦杆４６の円弧状部４６ａと同様の円弧状をなし、かつその部分の中央には、方形の窓孔６８が設けられている。
【００５３】
背板４２における窓孔６８の上方には後向片４２ａが設けられ、その後向片４２ａの前縁における係止片５５と対応する部分には、窓孔６８に連続する複数の係合孔(被係止部)６９が設けられている。
【００５４】
背板４２の後面における上から第２段目以下の横杆４７に対向する部分には、左右方向を向く凹溝７０が設けられている。
背板４２における凹溝７０の前面適所には、ナット７１(図９)を溶接しておくのがよい。
【００５５】
前面にクッション体４０および表皮材４１を前面に装着した背板４２は、若干後傾させた状態で、背フレーム３９の前方より、上端部における複数の係合孔６９の後縁を、背フレーム３９の上端における複数の係止片５５に係止し、次いで、背板４２の下端部を、後方に回動させて、後面における各凹溝７０を、対応する背フレーム３９の横杆４７に嵌合し、その後、横杆４７を後方より貫通させた、止着手段である前後方向を向く止めねじ７２を、ナット７１のねじ孔に螺合して締め付けることにより、背フレーム３９に簡単に装着することができる。また、上記と逆の手順で、背板４２を背フレーム３９から簡単に離脱させることもできる。
【００５６】
背板４２を背フレーム３９に装着した後には、背板４２の係合孔６９の後縁と背フレーム３９の係止片５５との係合と、背板４２の凹溝７０と背フレーム３９の横杆４７との嵌合と、背板４２への横杆４７の止着とにより、背板４２は、位置ずれやがたつき等が生じることなく、安定よく、確実に背フレーム３９に支持される。
【００５７】
図８に示すように、上方の取付板４３の前面上下部には、側面視Ｌ字状の補強部材７３および側面視後向コ字状の補強部材７４が固着されており、これらの補強部材７３、７４を、背フレーム３９における上から第２段目および第３段目の横杆４７、４７の後面にそれぞれ当接させて、ねじ止めすることにより、取付板４３は、背フレーム３９の後面上部に強固に固着されている。
【００５８】
下方の取付板４４の前面上部には、側面視Ｌ字状の係合片７５が折曲形成されており、この係合片７５を、背フレーム３９における最下段の横杆４７の下端部に係合させて、ねじ止めすることにより、取付板４４は、背フレーム３９の後面下部に強固に固着されている。
【００５９】
前記化粧板４５は、その上下部前面を、面ファスナーその他の止着手段をもって、上下部の取付板４３、４４の後面に、着脱可能として取り付けられている。化粧板４５は、例えば、合成樹脂製薄板の後面に植毛したもの、または薄板の後面に布を貼着したもの等とするのが好ましい。
【００６０】
左右の背フレーム３９における外側の縦杆４６の円弧状部４６ａの上下部には、ほぼ上下方向を向く把手７６の上下の端部が固着されている。この把手７６は、二人掛けの椅子を垂直軸回りに旋回させたり、乗客が通路を通行する際に掴むためのものである。
【００６１】
以上から明らかなように、この実施形態においては、左右１対の縦杆４６、４６の上端部同士と、それより下方の対向部同士とを、左右方向を向く横杆４７をもってそれぞれ連結してなる背フレーム３９の前面に、クッション体４０を前面に装着した背板４２を取り付けてなる椅子の背凭れ構造において、背フレーム３９の上端部に設けた係止片５５に、背板４２の上端部に設けた係合孔６９を係止し、かつ背板４２の後面における横杆４７に対向する部分に設けた凹溝７０に、横杆４７を嵌合し、この横杆４７を、止めねじ７２をもって背板４２に止着してあるので、背フレーム３９の前方より、背板４２を後傾させた状態で、背板４２の上端部の係合孔６９を、背フレーム３９の上端部における係止片５５に係止し、次いで、背板４２の下端部を、後方に回動させて、背板４２の凹溝７０を背フレーム３９の横杆４７に嵌合し、その後、横杆４７を背板４２に止着するだけで、クッション体４０を背フレーム３９に簡単に装着することができるとともに、上記と逆の手順で、クッション体４０を背フレーム３９から簡単に離脱させることができる。
【００６２】
また、クッション体４０を背フレーム３９に装着した後は、背板４２の係合孔６９と背フレーム３９の係止片５５との係合と、背板４２の凹溝７０と背フレーム３９の横杆４７との嵌合と、背板４２への横杆４７の止着とにより、クッション体４０は、位置ずれやがたつき等が生じることなく、安定よく、確実に背フレームに支持される。
【００６３】
本発明は、上記実施形態のみに限定されるものではなく、特許請求の範囲を逸脱することなく、幾多の変形した態様での実施が可能である。
【符号の説明】
【００６４】
１  基枠
２  座
３  背凭れ
４  側板
５  中間部肘掛け
６  横杆
７、８  連結杆
９、１０  起立部材
９ａ前片
９ｂ側片
９ｃ上部水平片
９ｄ下部水平片
９ｅ傾斜片
１１  切欠き
１２  座受枠
１３  ボルト
１４  張り材
１５  押え板
１６  表皮材
１７  前覆い板
１７ａ傾斜片
１７ｂ座受片
１７ｃブラケット
１７ｄ軸
１８  垂下布
１８ａ面ファスナー
１９  後覆い板
１９ａブラケット
２０  ベース部
２０ａ傾斜縁片
２０ｂ水平縁片
２１  起立部
２２  肘掛け
２３  肘当て支持部
２４  肘当て部材
２５  窓孔
２６  操作レバー
２６ａ手掛け部
２７  枢軸
２８  ボーデンケーブル
２８ａアウターチューブ
２８ｂインナーケーブル
２９  肘掛け支柱
３０  軸
３１  凹部
３２  調節ボルト
３３  覆い片
３４  固定ねじ
３５  肘当て部材
３６  ねじ止め部分
３７  受入れ部
３８  カバー部材
３８ａ前片
３８ｂ側片
３９  背フレーム
４０  クッション体
４１  表皮材
４２  背板
４２ａ後向片
４３、４４  取付板
４５  化粧板
４６  縦杆
４６ａ円弧状部
４７  横杆
４８  突部
４９  枢軸
５０  ブラケット
５１  ガススプリング
５１ａプッシュボタン
５２、５３  軸
５４  作動レバー
５５  係止片(係止部材)
５６  ヘッドレスト裏板
５７  回転レバー
５８  軸
５９  支持体
６０  切欠き
６１  折り畳みテーブル
６２  支持脚
６３  軸
６４  ストッパ
６５  ピン
６６  円弧孔
６７  連結杆
６８  窓孔
６９  係合孔(被係止部)
７０  凹溝
７１  ナット
７２  止めねじ(止着手段)
７３、７４  補強部材
７５  係合片
７６  把手
【図１】
2010213816.tif 000003
【図２】
2010213816.tif 000004
【図３】
2010213816.tif 000005
【図４】
2010213816.tif 000006
【図５】
2010213816.tif 000007
【図６】
2010213816.tif 000008
【図７】
2010213816.tif 000009
【図８】
2010213816.tif 000010
【図９】
2010213816.tif 000011